(57)【特許請求の範囲】
【請求項１】
モバイル端末機を載置させることができるインナーミラーのモバイル端末機ドッキング装置であって、
ミラー部が前面に形成されたミラーベース；
載置部ベースに載置部ベースの両側に広がって拡張できる端末機グリップ部が形成され、この端末機グリップ部がその内側に挿入されたモバイル端末機を取って支持するようになる端末機載置部；
前記ミラーベースと端末機載置部の間に繋がって前記端末機載置部をミラーベースに対して回動できるように支持するジョイント部；
を含んで構成され、
前記ジョイント部はミラーベースの一側に結合されるヒンジハウジングと載置部ベースの一側に結合されるボールハウジング、及びその両端部に、ヒンジハウジング側に繋がるヒンジ部とボールハウジング側に繋がるボール部がそれぞれ形成されたコネクティングロッドを含み、
前記端末機グリップ部の内側にモバイル端末機を挿入して前記ミラー部の後方に載置させられるようになったことを特徴とする、インナーミラーのモバイル端末機ドッキング装置。
【請求項２】
前記端末機載置部は、その一側に磁場を発生することができる磁場発生部材が内装され、前記モバイル端末機は事前に設定した一定値以上の磁場を検出すると、あらかじめ設定した所定のアプリケーションを自動的に実行させるようになったことを特徴とする、請求項１に記載のインナーミラーのモバイル端末機ドッキング装置。
【請求項３】
前記端末機載置部は、その一側に磁場を発生することができる磁場発生部材が内装され、前記モバイル端末機は端末機載置部に載置されると、あらかじめ設定した所定のアプリケーションを自動的に実行させるようになったことを特徴とする、請求項１に記載のインナーミラーのモバイル端末機ドッキング装置。
【請求項４】
前記端末機載置部は、その一側に磁場を発生することができる磁場発生部材が内装され、前記モバイル端末機は事前に設定した一定値以上の磁場を検出すると、あらかじめ設定した所定のアプリケーションを自動的に実行させ、以後、前記所定のアプリケーションが実行される間に一定値未満の磁場を検出すると、前記所定のアプリケーションを自動的に終了させるようになったことを特徴とする、請求項１に記載のインナーミラーのモバイル端末機ドッキング装置。
【請求項５】
前記端末機載置部は、その一側に磁場を発生することができる磁場発生部材が内装され、前記モバイル端末機は端末機載置部に載置されると、あらかじめ設定した所定のアプリケーションを自動的に実行させ、以後、モバイル端末機は前記所定のアプリケーションが実行される間に端末機載置部から外されると、前記所定のアプリケーションを自動的に終了させるようになったことを特徴とする、請求項１に記載のインナーミラーのモバイル端末機ドッキング装置。
【請求項６】
前記端末機グリップ部には載置部ベースの一側に形成されたカメラホールを開閉するための絞りが形成され、この絞りは端末機グリップ部が載置部ベースの両側に広がって、端末機グリップ部の内側にモバイル端末機が挿入される時カメラホールを開放するようになったことを特徴とする、請求項１〜５のいずれか一項に記載のインナーミラーのモバイル端末機ドッキング装置。
【請求項７】
前記ミラー部の一側には、所定の透過率を有する透過領域部が形成されていて、端末機載置部に安着されたモバイル端末機の画面を視覚的に確認できるようになったことを特徴とする、請求項１〜６のいずれか一項に記載のインナーミラーのモバイル端末機ドッキング装置。
【請求項８】
前記ミラーベースの内側には端末機載置部に載置されるモバイル端末機と無線で連結できる制御部が装着され、この制御部はミラー部のまわりに形成されたミラーベゼルに備えられた複数の機能ボタンと、有線で繋がって各機能ボタンの作動信号をモバイル端末機に送ることで、信号を受信したモバイル端末機が所定のアプリケーションを実行または終了させることを特徴とする、請求項１〜７のいずれか一項に記載のインナーミラーのモバイル端末機ドッキング装置。
【請求項９】
前記ヒンジ部はヒンジハウジングとミラーベースの間に軸回転できるように組み立てられ、前記ボール部はボールハウジングと載置部ベースの間に全方向に回転できるように組み立てられることで、端末機載置部がミラーベースを基準にして軸回転すると同時に、全方向に回転できるようになったことを特徴とする、請求項１〜８のいずれか一項に記載のインナーミラーのモバイル端末機ドッキング装置。
【請求項１０】
前記端末機載置部は、モバイル端末機の後面を支持する載置部ベースの一側にプッシュボタンが装着され、このプッシュボタンの動作に連動して端末機グリップ部が載置部ベースの両側に広がって拡張できるようになったことを特徴とする、請求項１〜９のいずれか一項に記載のインナーミラーのモバイル端末機ドッキング装置。
【請求項１１】
前記端末機載置部は、載置部ベースの一側に装着されるプッシュボタン；
前記プッシュボタンの後端に附着されたプッシュギア部の線形移動に連動して相互反対方向に回転するようになる第１回転ギア部と第２回転ギア部；
端末機グリップ部のアッパーグリップ部の下端面に突出形成され、前記第１回転ギア部の線形移動に連動して上下一側に線形移動するようになる第１線形ギア部；
端末機グリップ部のローワーグリップ部の上端面に突出形成され、前記第２回転ギア部に連動して前記第１線形ギア部と反対方向に線形移動するようになる第２線形ギア部；
を含み、前記プッシュボタンの動作に連動して端末機グリップ部が載置部ベースの両側に広がるようになったことを特徴とする、請求項１〜１０のいずれか一項に記載のインナーミラーのモバイル端末機ドッキング装置。
【請求項１２】
前記端末機載置部は、載置部ベースの一側に装着されたプッシュボタン；
前記プッシュボタンの後端に備えられてプッシュボタンが作動する時、端末機グリップ部が載置部ベースの両側に広がることができるように端末機グリップ部の拡張をアンロックする引掛部；
前記載置部ベースと端末機グリップ部の間に装着され、前記引掛部のアンロック時、端末機グリップ部を載置部ベースの両側に広がるようにする拡張手段；
を含むことを特徴とする、請求項１〜１０のいずれか一項に記載のインナーミラーのモバイル端末機ドッキング装置。
【発明の詳細な説明】
【技術分野】
【０００１】
本発明は、モバイル端末機をインナーミラーの後方に載置してドッキングすることができる、インナーミラーのモバイル端末機ドッキング装置に関する。
【発明の背景になる技術】
【０００２】
最近、スマートフォンのようなモバイル端末機の普及率が増大されることにつれ、多様なアプリケーションが開発されており、ナビゲーション、車計簿、ブラックボックスなど、自動車に係るアプリケーションも多数開発して利用されている。特に、スマートフォンのカメラと各種センサーを活用したLDWS(車線離脱警報システム)やFCW(前方追突警告システム)のような自動車関連アプリケーションが開発され、その信頼性もまた向上している。
【０００３】
しかし、前記の自動車関連アプリケーションを活用するためには、別途にスマートフォン載置台を購入して車両内の前方に装着することになるが、従来のスマートフォン載置台は、例えば、インナーミラーの下側にぶらさがる形で装着され、スマートフォンの前面(画面)を露出した状態で載置することになり、このため運転者の前方視野を妨害して車両事故が発生する時、車体の離脱によって乗客の傷害を引き起こし、またスマートフォンが運転中の運転者の視野に入って来るようになって動画視聴及びその他のアプリケーションの使用を誘発し、運転者の注意分散などを引き起こす問題点があった。
【先行技術文献】
【特許文献】
【０００４】
【特許文献１】韓国公開特許  第２０１２-０１３８５６４号  (２０１２年１２月２６日)
【特許文献２】韓国公開特許  第２０１２-０１３８５５６号  (２０１２年１２月２６日)
【発明の概要】
【発明が解決しようとする課題】
【０００５】
本発明は、前記のような点に鑑みて案出したものであって、ミラー部の後方にモバイル端末機を載置することができる空間と構造を形成すると同時に、モバイル端末機の載置部分がミラー部と独立して角度を調節できるようにして運転視野を確保し、モバイル端末機のカメラの画角を確保できるようにし、また、ミラー部の後方に載置したモバイル端末機の所定のアプリケーションとカメラ及びセンサーなどを利用して自動的に安全運転の補助機能を行うことができる、インナーミラーのモバイル端末機ドッキング装置を提供することにその目的がある。
【課題を解決するための手段】
【０００６】
ここで、本発明では、モバイル端末機を載置することができるインナーミラーのモバイル端末機ドッキング装置であって、ミラー部が前面に形成されたミラーベース；載置部ベースに、載置部ベースの両側へと広がって拡張されることができる端末機グリップ部が形成され、該端末機グリップ部がその内側に挿入されたモバイル端末機を取って支持するようになる端末機載置部；前記ミラーベースと端末機載置部の間に繋がって前記端末機載置部をミラーベースに対して回動できるように支持するジョイント部；を含んで構成され、前記端末機グリップ部の内側にモバイル端末機を挿入して前記ミラー部の後方に載置することができるようになったことを特徴とする、インナーミラーのモバイル端末機ドッキング装置を提供する。
【０００７】
本発明の実施例によると、前記端末機載置部は、その一側に磁場を発生することができる磁場発生部材が内装され、前記モバイル端末機は予め設定した一定値以上の磁場を検出すると、あらかじめ設定した所定のアプリケーションを自動的に実行させることになる。
【０００８】
そして、前記モバイル端末機は、前記所定のアプリケーションが実行される間に一定値未満の磁場を検出すると、実行中の所定のアプリケーションを自動的に終了することになる。
【０００９】
例えば、前記モバイル端末機は、端末機載置部に載置されると、あらかじめ設定した所定のアプリケーションを自動的に実行することになり、前記所定のアプリケーションが実行される間に端末機載置部から外されると、前記所定のアプリケーションを自動的に終了することになる。
【００１０】
また、本発明の実施例によると、前記端末機グリップ部には、載置部ベースの一側に形成されたカメラホールを開閉するための絞りが形成され、この絞りは端末機グリップ部が載置部ベースの上下両側に広がって、端末機グリップ部の内側にモバイル端末機が挿入される時、カメラホールを開放するようになる。
【００１１】
また、本発明の実施例によると、前記ミラー部の一側には所定の透過率を有する透過領域部が形成されていて、端末機載置部に安着されたモバイル端末機の画面を視覚的に確認することができるようになる。
【００１２】
また、本発明の実施例によると、前記ミラーベースの内側には端末機載置部に載置されるモバイル端末機と無線で連結できる制御部が装着され、この制御部はミラー部のまわりに形成されたミラーベゼルに備えられた複数の機能ボタンと有線で繋がって、各機能ボタンの作動信号をモバイル端末機に送ることで、信号を受信したモバイル端末機が所定のアプリケーションを実行または終了させる。
【００１３】
また、本発明の実施例によると、前記ジョイント部はミラーベースの一側に結合されるヒンジハウジングと載置部ベースの一側に結合されるボールハウジング、及びその両端部に、ヒンジハウジング側に繋がるヒンジ部とボールハウジング側に繋がるボール部がそれぞれ形成されたコネクティングロッドを含み、前記ヒンジ部はヒンジハウジングとミラーベースの間に軸回転できるように組み立てられ、前記ボール部はボールハウジングと載置部ベースの間に全方向に回転できるように組み立てられることで、端末機載置部がミラーベースを基準に軸回転すると同時に全方向に回転できるようになる。
【００１４】
また、本発明の実施例によると、前記端末機載置部はモバイル端末機の後面を支持する載置部ベースの一側にプッシュボタンが装着され、このプッシュボタンの動作に連動して端末機グリップ部が載置部ベースの上下両側に広がって拡張されることができるようになる。
【００１５】
具体的に、前記端末機載置部は、モバイル端末機の後面を支持する載置部ベースの一側に装着されるプッシュボタン；前記プッシュボタンの後端に附着されたプッシュギア部の線形移動に連動して相互反対方向に回転することになる第１回転ギア部と第２回転ギア部；端末機グリップ部のアッパーグリップ部の下端面に突出形成され、前記第１回転ギア部の線形移動に連動して上下一側に線形移動することになる第１線形ギア部；端末機グリップ部のローワーグリップ部の上端面に突出形成され、前記第２回転ギア部に連動して前記第１線形ギア部と反対方向に線形移動する第２線形ギア部；を含み、前記プッシュボタンの動作に連動して端末機グリップ部が載置部ベースの上下両側に広がるようになる。
【００１６】
また、他の例として、前記端末機載置部は、載置部ベースの一側に装着されたプッシュボタン；前記プッシュボタンの後端に備えられてプッシュボタンの作動時、端末機グリップ部が載置部ベースの両側に広がることができるように端末機グリップ部の拡張をアンロックする引掛部；前記載置部ベースと端末機グリップ部の間に装着され、前記引掛部のアンロック時、端末機グリップ部を載置部ベースの両側に広がるようにする拡張手段；を含んで構成されることができる。
【発明の効果】
【００１７】
本発明によるインナーミラーのモバイル端末機ドッキング装置は、次のような利点がある。
【００１８】
１．インナーミラーのミラー部の後方にモバイル端末機を載置することができる構造を形成していて、運転者の前方視野を確保することができる。
２．モバイル端末機をミラー部の後方に載置すると同時に、あらかじめ設定したモバイル端末機の所定のアプリケーションが自動的に実行されて運転補助機能を具現することで、安全運転に寄与し、運転の安全性を確保することができる。
３．モバイル端末機の画面の一部だけミラー部を透過して視認することができるようになって、動画視聴やアプリケーションの実行などによる運転者の注意分散を防ぐことができる。
４．高価な車両安全仕様を提供するためのシステムを搭載しなくても、それに相応する機能をモバイル端末機を利用して遂行することができるので、コスト削減の效果を得られる。
【図面の簡単な説明】
【００１９】
【図１】本発明の一実施例によるインナーミラーのモバイル端末機ドッキング装置を示した結合斜視図。
【図２】本発明の一実施例によるインナーミラーのモバイル端末機ドッキング装置を示した分解斜視図。
【図３】本発明の一実施例によるモバイル端末機ドッキング装置のミラーベースと端末機載置部の間の連結構造を示した図面。
【図４】本発明の一実施例によるモバイル端末機ドッキング装置の端末機載置部を示した斜視図。
【図５】本発明の一実施例によるモバイル端末機ドッキング装置の端末機載置部にモバイル端末機を載置するための作動過程を示したフローチャート。
【図６】本発明の一実施例によるモバイル端末機ドッキング装置の端末機載置部にモバイル端末機を載置するための作動過程を示したフローチャート。
【図７】本発明の一実施例によるモバイル端末機ドッキング装置の中で、端末機載置部のプッシュボタンと端末機グリップ部の間の連動構造を示した図面。
【図８】本発明の一実施例によるモバイル端末機ドッキング装置の端末機載置部に載置されたモバイル端末機のアプリケーションの実行方式を説明するための図面。
【図９】本発明の一実施例によるモバイル端末機ドッキング装置の端末機載置部に載置されたモバイル端末機のアプリケーションが実行される過程を示したフローチャート。
【図１０】本発明の他の実施例によるインナーミラーのモバイル端末機ドッキング装置を示した分解斜視図。
【図１１】本発明の他の実施例によるモバイル端末機ドッキング装置の端末機載置部を示した斜視図。
【図１２】本発明の他の実施例によるモバイル端末機ドッキング装置の中で、端末機載置部のプッシュボタンと端末機グリップ部の間の連動構造を示した図面。
【図１３】本発明の他の実施例によるモバイル端末機ドッキング装置の中で、端末機載置部のプッシュボタンと端末機グリップ部の間の連動構造を示した図面。
【図１４】本発明の他の実施例によるモバイル端末機ドッキング装置の中で、端末機載置部のプッシュボタンと端末機グリップ部の間の連動構造を示した図面。
【発明を実施するための具体的内容】
【００２０】
以下、添付した図面を参照して、本発明が属する技術分野で通常の知識を有する者が容易に実施できるように、本発明の好ましい実施例について説明する。
【００２１】
図１及び図２で示したように、本発明の実施例によるインナーミラーのモバイル端末機ドッキング装置は、大きくミラーベース１００と端末機載置部２００、及び前記ミラーベース１００と端末機載置部２００の間に装着されるジョイント部３００を含んで構成される。
【００２２】
前記ミラーベース１００は、制御部(ECU)１１０などの部品を内装することができる内部空間を持つように形成され、前面にミラーベゼル１２０で囲まれた形のミラー部１３０が装着される。
【００２３】
前記ミラーベゼル１２０は、ミラー部１３０のまわりを囲んだ形でミラーベース１００の前面から端末機載置部２００の前面まで延長されるように形成され、その下側端に多様な機能ボタン１２１、１２２、１２３が備えられる。
【００２４】
例えば、前記機能ボタン１２１、１２２、１２３ではモバイル端末機４００の画面にブラックスクリーンを浮かべるためのオン/オフ信号を制御部１１０に送る機能ボタン１２１、モバイル端末機４００の所定のアプリケーション（一例として、ADASアプリケーション(先端の運転者支援システムアプリケーション)）をオン/オフするための信号を制御部１１０に送る機能ボタン１２２、モバイル端末機４００のナビゲーションアプリケーションの作動(経路再探索)をオン/オフするための信号を制御部１１０に送る機能ボタン１２３などが備えられることができ、選択された機能ボタンの作動時、発生された信号は前記制御部１１０を通じてモバイル端末機４００に送信される。
【００２５】
この時、各機能ボタン１２１、１２２、１２３は制御部１１０と有線で信号が送信できるように繋がるし、モバイル端末機４００と制御部１１０は無線で信号が送信できるように繋がる。
【００２６】
図１ないし図３を見ると、ジョイント部３００はミラーベース１００の一側に結合されるヒンジハウジング３１０と端末機載置部２００（具体的に、端末機載置部２００の載置部ベース２１０）の一側に結合されるボールハウジング３２０、及び前記ヒンジハウジング３１０とボールハウジング３２０の間に繋がるコネクティングロッド３３０を含んで構成される。
【００２７】
前記コネクティングロッド３３０は、その両端部に、ヒンジハウジング３１０側に繋がるヒンジ部３３１とボールハウジング３２０側に繋がるボール部３３２が備えられる。
【００２８】
前記ヒンジ部３３１は、ヒンジハウジング３１０とミラーベース１００の間に軸回転できるように挿入され、前記ボール部３３２はボールハウジング３２０と端末機載置部２００の間に回転できるように挿入される。
【００２９】
この時、ヒンジ部３３１はヒンジハウジング３１０とミラーベース１００の間に １自由度を有して軸回転方向だけに回転できるように組み立てられ、ボール部３３２はボールハウジング３２０と端末機載置部２００の間に３自由度を有して全方向に回転できるように組み立てられる。
【００３０】
これによって、車体あるいはウインドシールドガラスの上側に附着されるミラーベース１００と別途に端末機載置部２００の独立的な角度調節ができて、端末機載置部２００に載置されたモバイル端末機４００のカメラの画角を一定に確保することができるようになる。
【００３１】
例えば、運転者の目の位置によって、インナーミラーの角度を調節するためにミラーベース１００の回転角度を調節する時、ミラーベース１００とは別途に(独立的に)端末機載置部２００の回転角度を変更調節することができるので、モバイル端末機のカメラは、常に車両の正面に向けることができるようになる。
【００３２】
また、端末機載置部２００に向い合うミラー部１３０の一側には所定の透過率を有する透過領域部１３１が形成されていて、ミラー部１３０の透過領域部１３１を通じて端末機載置部２００に安着されたモバイル端末機４００の画面を視覚的に確認することができる。
【００３３】
この時、端末機載置部２００に安着されたモバイル端末機４００は、内装されたアプリケーションによって事前に設定した項目、例えば、危険状況を知らせる警告メッセージとナビゲーションのターンバイターン情報、電話及びメッセージ情報などのように、運転する時にも確認が必要な情報だけを表示して、前記透過領域部１３１を通じて運転者に見えるようにし、動画などのように、運転する時に確認が不要で運転に邪魔になる項目を示すことができなくなる。
【００３４】
前記モバイル端末機４００の画面がブラックスクリーン状態になる場合は、透過領域部１３１もミラー部１３０の他の領域(透過領域部１３１を除いた領域)と同様、使用者にリアービューを提供する役割をすることになる。
【００３５】
ここで、前記ミラー部１３０には、左右一側の一定の領域(透過領域部)が所定の透過率を有するミラー部材が使われ、その透過領域部１３１は端末機載置部２００に向い合うように配置される。
【００３６】
そして、載置部ベース２１０の一側には、モバイル端末機４００を充電するための充電用ジャック(ロールタイプの充電用ジャック)を取出し可能なジャック取出し口２１１が形成されており、端末機載置部２００にモバイル端末機を載置した状態でモバイル端末機の充電が可能である。
【００３７】
前記端末機載置部２００は、モバイル端末機を載置するための構造と、載置されたモバイル端末機を取るための構造を備えたもので、図１、図２そして図４に示したように、載置部ベース２１０とこの載置部ベース２１０に装着結合される端末機グリップ部２２０などを含んで構成される。
【００３８】
載置部ベース２１０はモバイル端末機の後面を支持する部分で、ジョイント部３００を通じてミラーベース１００と繋がってミラーベース１００に対して回動できるように形成され、一側端部のボタンホール２１８に、使用者が押して作動させることができるように(押すことができるように)突出された形でプッシュボタン２３０が組み立てられる。
【００３９】
そして、前記プッシュボタン２３０の作動に連動して載置部ベース２１０の上下両側に広がって拡張される端末機グリップ部２２０が載置部ベース２１０の上下両側に線形で昇降移動できるように装着される。
【００４０】
前記端末機グリップ部２２０は、載置部ベース２１０の上側に組み立てられるアッパーグリップ部２２０aと載置部ベース２１０の下側に組み立てられるローワーグリップ部２２０bから形成され、アッパーグリップ部２２０aの下端面とローワーグリップ部２２０bの上端面にはそれぞれプッシュボタン２３０の作動に連動して相互反対方向に直線移動するようになる第１線形ギア部２２５と第２線形ギア部２２６が突出形成される。
【００４１】
プッシュボタン２３０には載置部ベース２１０のボタンホール２１８に挿入される一側(後端)にプッシュギア部２３２が形成されており、載置部ベース２１０には前記プッシュギア部２３２にかみ合って回転するようになる第１回転ギア部２３４と第２回転ギア部２３５がそれぞれ両方向に回転できるように組み立てられて内装されており、また、前記第１回転ギア部２３４にはアッパーグリップ部２２０aの第１線形ギア部２２５が線形移動できるようにかみ合っていて、前記第２回転ギア部２３５にはローワーグリップ部２２０bの第２線形ギア部２２６が線形移動できるようにかみ合っている(図７参照)。
【００４２】
言い換えると、前記端末機載置部２００は、モバイル端末機の後面を支持する載置部ベース２１０の一側に装着されるプッシュボタン２３０、前記プッシュボタン２３０の後端に附着されたプッシュギア部２３２の線形移動に連動して相互反対方向に回転するようになる第１回転ギア部２３４と第２回転ギア部２３５、アッパーグリップ部２２０aの下端面に突出形成されて前記第１回転ギア部２３４の線形移動に連動して上下一側に線形移動するようになる第１線形ギア部２２５、及び、ローワーグリップ部２２０bの上端面に突出形成されて前記第２回転ギア部２３５に連動して前記第１線形ギア部２２５と反対方向に線形移動するようになる第２線形ギア部２２６を含んで構成され、前記プッシュボタン２３０の動作に連動して端末機グリップ部２２０が載置部ベース２１０の上下両側に移動できるようになる。
【００４３】
これによって、使用者がプッシュボタン２３０を押すと、アッパーグリップ部２２０aとローワーグリップ部２２０bがそれぞれ載置部ベース２１０の上下両側に移動して端末機グリップ部２２０が広がるようになり、この時、載置部ベース２１０がミラー部１３０の後方側に回動された状態なら、端末機載置部２００の内側にモバイル端末機を挟むことができる空間が形成されるので、アッパーグリップ部２２０aとローワーグリップ部２２０bの間にモバイル端末機を挟んだ後、アッパーグリップ部２２０aとローワーグリップ部２２０bを受動で押してモバイル端末機の側部に密着させることで、モバイル端末機を取って支持(あるいは固定)することができるようになる。
【００４４】
このような端末機グリップ部２２０は、モバイル端末機の幅によってアッパーグリップ部２２０aとローワーグリップ部２２０bの間に間隔が狭まるようになるので、端末機載置部２００には相互異なる幅を有する多様なサイズのモバイル端末機を載置して固定することができるようになる。
【００４５】
また、前記端末機グリップ部２２０には、載置部ベース２１０の一側（ボールハウジング３２０が附着される部分と回転ギア部２３４、２３５が組み立てられた部分の間）に形成されているカメラホール２１６の前面に位置され、カメラホール２１６を開閉するための絞り２２３が形成されている。
【００４６】
前記絞り２２３はアッパーグリップ部２２０aの下端面に突出形成されたアッパー絞り２２３aとローワーグリップ部２２０bの下端面に突出形成されたローワー絞り２２３bからなり、端末機グリップ部２２０が上下両側に広がる時、前記アッパー絞り２２３aとローワー絞り２２３bが上下両側に広がるようになって、閉まっていたカメラホール２１６を開放するようになり、開放されたカメラホール２１６を通じてモバイル端末機のカメラ撮影ができるようになる(図７参照)。
【００４７】
また、前記端末機グリップ部２２０にはアッパーグリップ部２２０a（あるいはアッパーグリップ部２２０aとローワーグリップ部２２０bのいずれか一方）に磁石のような磁場発生部材２２１が内装され、前記アッパーグリップ部２２０aの内壁面には磁場発生部材２２１から放出された磁場の円滑な拡散のために磁場ホール２２２が形成される。
【００４８】
そして、載置部ベース２１０の一側端部にはプッシュボタン２３０のハウジング役割をするサイドカバー２１２が回動できるようにヒンジ結合されるし、このサイドカバー２１２は使用者によって受動で回動されてプッシュボタン２３０を覆ったり、または露出させるようになる。
【００４９】
一方、図１０は本発明の他の実施例によるインナーミラーのモバイル端末機ドッキング装置を示した分解斜視図で、図１１は本発明の他の実施例によるモバイル端末機ドッキング装置の端末機載置部を示した斜視図で、図１２〜図１４は本発明の他の実施例によるモバイル端末機ドッキング装置の中で端末機載置部のプッシュボタンと端末機グリップ部の間の連動構造を示した図面である。
【００５０】
図１０〜図１４を参照して本発明の他の実施例による端末機載置部について説明するが、この時、前に説明した一実施例による端末機載置部と同一の構造及び構成に対する説明は重複されたり、または省略されることがある。
【００５１】
図１０及び図１１に示したように、端末機載置部２００は載置部ベース２１０とこの載置部ベース２１０に装着結合される端末機グリップ部２２０を含んで構成される。
【００５２】
載置部ベース２１０には、使用者が押して作動させられるように、一側端部のボタンホール２１８に突出された形態でプッシュボタン２３０が組み立てられ、プッシュボタン２３０の作動に連動して載置部ベース２１０の上下両側に広がるように(拡張できるように)なる端末機グリップ部２２０が載置部ベース２１０の上下両側に線形に昇降移動できるように装着される。
【００５３】
前記端末機グリップ部２２０は、載置部ベース２１０の上側に組み立てられたアッパーグリップ部２２０aと、載置部ベース２１０の下側に組み立てられたローワーグリップ部２２０bからなり、アッパーグリップ部２２０aの下端面とローワーグリップ部２２０bの上端面には、それぞれプッシュボタン２３０の作動に連動して相互反対方向に(端末機グリップ部の拡張及び復元方向に)直線移動するようになる第１線形ギア部２２７と第２線形ギア部２２８が突出形成される。
【００５４】
前記第１及び第２線形ギア部２２７、２２８は、それぞれ載置部ベース２１０の内側に向ける一側端に歯車歯を有する。
【００５５】
プッシュボタン２３０には、その一側(後端)に引掛部２３３が備えられており、この引掛部２３３は上下両側に(すなわち、端末機グリップ部の拡張方向に)延長されるように形成され、第１及び第２線形ギア部２２７、２２８の線形移動をロック及びアンロックするロッキング部２３３aを有する。前記ロッキング部２３３aは、第１及び第２線形ギア部２２７、２２８の歯車歯に引っ掛かって線形ギア部２２７、２２８の上側及び下側への移動を防止する。
【００５６】
このような引掛部２３３はプッシュボタン２３０の未作動時、端末機グリップ部２２０が載置部ベース２１０の上下両側に広がることができないように、端末機グリップ部２２０の拡張(広がり)をロックし、プッシュボタン２３０の作動時、端末機グリップ部２２０が載置部ベース２１０の上下両側に広がることができるように端末機グリップ部２２０の拡張(広がり)をアンロックする役割をする。
【００５７】
また、プッシュボタン２３０の一側には、プッシュボタン２３０とスプリング支持台２１３の間に支持されるリターンスプリング２２９が装着され、前記スプリング支持台２１３は載置部ベース２１０に内装された形態で備えられる。
【００５８】
図１２〜図１４に示したように、前記リターンスプリング２２９は、プッシュボタン２３０の作動によって端末機グリップ部２２０が上下両側に拡張する時圧縮しながら弾性復元力を生成し、以後、前記弾性復元力でプッシュボタン２３０を復帰させることになる。
【００５９】
また、載置部ベース２１０と端末機グリップ部２２０の間には、引掛部２３３が第１及び第２線形ギア部２２７、２２８のロックを解除する時に端末機グリップ部２２０を載置部ベース２１０の上下両側に拡張してくれる(広がるようにする)拡張手段として、第１拡張スプリング２１４及び第２拡張スプリング２１５が圧縮された状態で装着される。
【００６０】
第１拡張スプリング２１４は載置部ベース２１０とアッパーグリップ部２２０a の間に圧縮した状態で装着され、第２拡張スプリング２１５は載置部ベース２１０とローワーグリップ部２２０bの間に圧縮した状態で装着され、第１及び第２線形ギア部２２７、２２８のアンロック時、第１及び第２拡張スプリング２１４、２１５の弾性復元力によって端末機グリップ部２２０が上下両側に(端末機載置部の拡張方向へ)拡張されて広がるようになる。
【００６１】
言い換えると、前記端末機載置部２００は載置部ベース２１０の一側に装着されたプッシュボタン２３０の作動によって、プッシュボタン２３０の後端に備えられた引掛部２３３がアッパーグリップ部２２０aの第１線形ギア部２２７とローワーグリップ部２２０bの第２線形ギア部２２８のロックを解除することになり、この時、前記載置部ベース２１０とアッパーグリップ部２２０aの間に圧縮されている第１拡張スプリング２１４と、前記載置部ベース２１０とローワーグリップ部２２０bの間に圧縮されている第２拡張スプリング２１５が復元されながら第１線形ギア部２２７が上側に移動し、第２線形ギア部２２８が下側に移動して端末機グリップ部２２０が載置部ベース２１０の両側に(拡張方向に)広がるように構成される。
【００６２】
このような端末機載置部２００にモバイル端末機を載置させた後、端末機グリップ部２２０を両側から手で押すと、第１及び第２線形ギア部２２７、２２８と引掛部２３３によって端末機グリップ部２２０がモバイル端末機に密着された位置に固定されるようになる。
【００６３】
ここで、図５及び図６を参照して、前記のように構成されたモバイル端末機ドッキング装置にモバイル端末機を載置させる過程を説明すると、次の通りである。
【００６４】
先ず、図５に示したように、ミラーベース１００を基準にして端末機載置部２００を時計回りに回転して端末機載置部２００とミラーベゼル１２０の間にモバイル端末機４００を挿入するための空間を用意する。
【００６５】
次に、図６に示したように、サイドカバー２１２を回動させて後ろに反らし、プッシュボタン２３０を押して端末機グリップ部２２０を載置部ベース２１０の上下両側に広がるように移動させた後、モバイル端末機４００を端末機載置部２００の内側に（すなわち、端末機グリップ部２２０のアッパーグリップ部２２０aとローワーグリップ部２２０bの間に）入れて、端末機グリップ部２２０を上下両側から押してモバイル端末機４００の両側面に密着させる。
【００６６】
この時、端末機グリップ部２２０は、モバイル端末機４００の両側面に密着された状態に固定され、モバイル端末機４００を上下両側に動かないように支持することになる。
【００６７】
図面に示されてはいないが、必要な場合、モバイル端末機４００が端末機載置部２００とミラーベゼル１２０の間に離脱されることを防止するため、端末機載置部２００をミラーベゼル１２０側に回動させ、モバイル端末機４００をミラーベゼル１２０に密着させる。
【００６８】
図８を見ると、端末機載置部２００に安着されたモバイル端末機４００は、ミラーベース１００に内装された制御部１１０と無線で繋がるし、前記制御部１１０はミラーベゼル１２０に備えられたそれぞれの機能ボタン１２１、１２２、１２３と有線で繋がる。
【００６９】
この時、モバイル端末機４００はブルートゥースなどによる無線通信を通じて制御部１１０の信号を受信するようになる。
【００７０】
端末機載置部２００に載置されるモバイル端末機４００は、スマートフォンなどのように、基本的にホールセンサーのような磁場測定手段(未図示)が内装されている知能型端末機であって、前記磁場測定手段が測定して送信する信号によって実行される磁場検出アプリケーションが予め設置されており、また、この磁場検出アプリケーションによって自動的に実行できるように設計された所定のアプリケーションがあらかじめ設置されている。
【００７１】
例えば、この時の所定のアプリケーションでは使用者が必要とするLDWS(車線離脱警報システム)やFCW(前方追突警告システム)機能を具現できるADAS(先端運転者支援システム)アプリケーションなどがある。
【００７２】
図９を参照して説明すると、使用者がモバイル端末機４００を持って車両に搭乗し、ミラーベース１００の制御部１１０とモバイル端末機４００が一定の空間(一定距離)内に共存するようになると、ブルートゥースで(無線送信方式で)前記制御部１１０とモバイル端末機４００がペアリングされ、モバイル端末機４００に内装された磁場測定手段が端末機載置部２００の端末機グリップ部２２０に内装された磁場発生部材(磁石)２２１から放出される磁場を測定した結果がモバイル端末機４００の磁場検出アプリケーションに送信され、前記磁場検出アプリケーションは磁場測定手段の測定値が事前に設定した一定値以上の磁場で検出されると、あらかじめ選択された(あらかじめ設定した)モバイル端末機４００の所定のアプリケーション(ADASアプリケーション)をバックグラウンドで自動的に実行させる。
【００７３】
ここで、前記磁場測定手段(未図示)は、磁場発生部材２２１との距離が一定の距離以内に狭まる時、例えば、モバイル端末機４００が端末機載置部２００に載置される時、一定磁場以上を検出するようになる。
【００７４】
前記モバイル端末機４００の所定のアプリケーション(ADASアプリケーション)が実行される間に、磁場測定手段が事前に設定した一定値未満の磁場を検出することになると、例えば、モバイル端末機４００が端末機載置部２００から外されると、磁場検出アプリケーションによって前記所定のアプリケーション(ADASアプリケーション)は自動的に実行終了となる。
【００７５】
言い換えると、モバイル端末機４００の磁場検出アプリケーションは、あらかじめ設定した所定のアプリケーション(ADASアプリケーション)を実行する間にも磁場測定手段のセンシング値をリアルタイムで受信し、その結果、磁場測定手段のセンシング値が事前に設定した一定値未満となると、ADASアプリケーションを自動的に終了させる。
【００７６】
そして、前述したように、ミラーベゼル１２０の下側には多様な機能ボタン(スイッチ部材)１２１、１２２、１２３がミラーベース１００に制御部１１０と有線で繋がった形態で備えられており、前記機能ボタン１２１、１２２、１２３のいずれか一つが押されて作動されると、作動された機能ボタンの作動信号が制御部１１０を通じてモバイル端末機４００に送信される。
【００７７】
制御部１１０を通じてオン/オフ作動された機能ボタンの信号を伝送されたモバイル端末機４００は、その信号によって制御され、作動された機能ボタンに該当するアプリケーションが実行または終了される。
【００７８】
すなわち、モバイル端末機は、機能ボタンのオン/オフ作動時、当該機能ボタンに相応する所定のアプリケーションが実行され、当該アプリケーションはオン/オフ(あるいは、経路再探索/再探索取り消し)などの作動をするようになる。
【００７９】
以上、本発明の実施例について詳細に説明したが、本発明の権利範囲は前述の実施例に限定されず、次の特許請求の範囲で定義している本発明の基本概念を利用した当業者の様々な変形及び改良も本発明の権利範囲に含まれる。
【符号の説明】
【００８０】
１００ : ミラーベース          １１０ : 制御部
１２０ : ミラーベゼル          １３０ : ミラー部
１３１ : 透過領域部            ２００ : 端末機載置部
２１０ : 載置部ベース          ２１６ : カメラホール
２２０ : 端末機グリップ部      ２２１ : 磁場発生部材
２２２ : 磁場ホール            ２２３ : 絞り
２２５ : 第１線形ギア部        ２２６ : 第２線形ギア部
２３０ : プッシュボタン        ２３２ : プッシュギア部
２３４ : 第１回転ギア部        ２３５ : 第２回転ギア部
３００ : ジョイント部          ３１０ : ヒンジハウジング
３２０ : ボールハウジング      ３３０ : コネクティングロッド
３３１ : ヒンジ部              ３３２ : ボール部
４００ : モバイル端末機
【図１】
0006602641.tif 000002
【図２】
0006602641.tif 000003
【図３】
0006602641.tif 000004
【図４】
0006602641.tif 000005
【図５】
0006602641.tif 000006
【図６】
0006602641.tif 000007
【図７】
0006602641.tif 000008
【図８】
0006602641.tif 000009
【図９】
0006602641.tif 000010
【図１０】
0006602641.tif 000011
【図１１】
0006602641.tif 000012
【図１２】
0006602641.tif 000013
【図１３】
0006602641.tif 000014
【図１４】
0006602641.tif 000015